(57)【要約】【課題】  ボタンキャップを押すことでタクトスイッチをＯＮすると同時に発光素子が光を発するように機能する操作ボタンの取付け構造の提供。【解決手段】  回路基板６には上記タクトスイッチ８と発光素子７を取付け、電子機器のフロントパネル９にはボタンフレーム４を取着し、ボタンキャップ３の内部空間１０には柱体１５の外周に複数枚の羽根１６，１６・・を突出したグラス発光素子５を収容し、そしてグラス発光素子５を収容したボタンキャップ３をボタンフレーム４の受け部１３に取付け、該受け部１３にはツメ２１ａ，２１ｂを設けてボタンキャップ３の底に形成した係止部２０ａ，２０ｂを該ツメ２１ａ，２１ｂに係止し、さらに受け部１３は肉厚を薄くした継手部１４を介して撓むことが出来るようにしている。【選択図】    図２
2008084637.tif 000002
【特許請求の範囲】
【請求項１】
ボタンキャップを押すことでタクトスイッチをＯＮすると同時に発光素子が光を発するように機能する操作ボタンの取付け構造において、回路基板には上記タクトスイッチと発光素子を取付け、電子機器のフロントパネルにはボタンフレームを取着し、ボタンキャップの内部空間には柱体の外周に複数枚の羽根を突出したグラス発光素子を収容し、羽根はボタンキャップの内部空間の内周面に当接すると共に先端を正面穴に嵌め、そしてグラス発光素子を収容したボタンキャップをボタンフレームの受け部に取付け、該受け部にはツメを設けてボタンキャップの底に形成した係止部を該ツメに係止し、さらに受け部は肉厚を薄くした継手部を介して撓むことで上記タクトスイッチをＯＮするように機能したことを特徴とする操作ボタンの取付け構造。
【請求項２】
ボタンキャップを押すことでタクトスイッチをＯＮすると同時に発光素子が光を発するように機能する操作ボタンを備えた電子機器において、
電子機器内部に設けた回路基板には上記タクトスイッチと発光素子を取付け、電子機器のフロントパネルにはボタンフレームを取着し、ボタンキャップの内部空間には柱体の外周に複数枚の羽根を突出したグラス発光素子を収容し、羽根はボタンキャップの内部空間の内周面に当接すると共に先端を正面穴に嵌め、そしてグラス発光素子を収容したボタンキャップをボタンフレームの受け部に取付け、該受け部にはツメを設けてボタンキャップの底に形成した係止部を該ツメに係止し、さらに受け部は肉厚を薄くした継手部を介して撓むことで上記タクトスイッチをＯＮするように機能したことを特徴とする操作ボタンを備えた電子機器。
【発明の詳細な説明】
【技術分野】
【０００１】
本発明はボタンキャップを押すことでタクトスイッチがＯＮされると同時に発光素子の光を発する操作ボタンの取付け構造、及び該操作ボタンを備えた電子機器に関するものである。
【背景技術】
【０００２】
一般の電子機器には操作ボタンが取付けられ、該操作ボタンを押すことで電子機器が動作するように成っている。例えば、回路基板上には操作ボタンに対向した位置にタクトスイッチが設けられ、操作ボタンを押すならばタクトスイッチが押されてＯＮされて電子機器が所定の動作を行うように制御される。
【０００３】
そして、この場合に操作ボタンを押圧して電子機器が所定の動作を行うのみならず、操作ボタンが押されてタクトスイッチがＯＮされたことを使用者に知らせるために、該操作ボタンが発光するように機能する表示部を設けている。この表示部はグラス発光素子で構成され、回路基板に取付けた発光素子から放射される光を導いて操作ボタンの発光部を発光させることが出来る。
【０００４】
図７は従来の操作ボタン取付け構造を表している具体例であり、回路基板（イ）にはタクトスイッチ（ロ）と発光素子（ハ）が取付けられ、ボタンフレーム（ニ）にはグラス発光素子（ホ）が取付け穴（ヘ）に嵌って取付けられている。該ボタンフレーム（ニ）にはスイッチ押え片（ト）が形成され、グラス発光素子（ホ）を押すならばボタンフレーム（ニ）が撓み変形してスイッチ押え片（ト）がタクトスイッチ（ロ）を押圧してＯＮする。そして、同時に発光素子（ハ）が発光して放射する光はグラス発光素子（ホ）を通して発光させる。同図のグラス発光素子（ホ）は操作ボタンとして機能している。
【０００５】
図８は特開２０００−１００２７９号に係る「電子機器の操作ボタン」の展開図を表している。操作ボタン（チ）のボタンキャップ（ヌ）はフロントパネル（リ）に設けたボタン穴（ル）に嵌り、フロントパネル（リ）の背面側に延びるボス（オ）が操作ボタン（チ）の穴（ワ）に嵌合・貫通し、突出部分が融着される。そして、グラス発光素子（カ）の先端発光部（ヨ）はボタンキャップ（ヌ）の穴 (タ)を貫通し、操作ボタン（チ）の背面から延びるボス（レ）はグラス発光素子（カ）の穴（ソ）に嵌って融着される。
【０００６】
このように操作ボタン（チ）にグラス発光素子（カ）を取付ける場合、グラス発光素子（カ）と対向する位置に発光素子（ハ）が回路基板（イ）に取付けられている。しかし、グラス発光素子（カ）を操作ボタン（チ）に融着する場合、ボス（レ）の先端を融着ゴテを当てて融かす必要があり、その作業は面倒となる。すなわち、小さな操作ボタン（チ）にボス（レ）を起立する余分なスペースがなく、しかも狭い箇所に設けたボス（レ）を融かす為に融着ゴテを差し入れることが容易でない。さらに、操作ボタン（チ）もフロントパネル（リ）の背面から延びるボス（オ）にて融着されている。
【０００７】
特開２００４−１４６２６０号に係る「照光式スイッチ構造」は、押しボタンを押しすぎてもタクトスイッチを破損することがなく、同時に押しボタンの発光性を改善することができる照光式スイッチ構造である。
そこで、この照光式スイッチ構造はＬＥＤがタクトスイッチの両側に対向して配置され、押しボタンの底部にはタクトスイッチに当接する第１の脚部である接触リブと、接触リブの両側に接触リブより長くＬＥＤを跨ぐように形成された一対の第２の脚部とを有する。そして、接触リブ及び第２の脚部は押しボタンが押され、タクトスイッチに当接したときに、発光したＬＥＤの光を案内する導光材料から形成されている。
【０００８】
特開２００２−３１９３２４号に係る「ボタン装置」は、ボタン操作軸の周囲部分を点灯させる場合に、ボタン装置のコストを低減できるとともに、タクトスイッチなどの影を生じることなく、窓部が鮮明に照明されるようにしている。
これらの他にも、特開２００６−７９９４０号に係る「電子機器における押し釦装置」、特開２００２−２３１０９３号に係る「押しボタン装置」などが知られている。
【特許文献１】特開２００４−１４６２６０号に係る「照光式スイッチ構造」
【特許文献２】特開２００２−３１９３２４号に係る「ボタン装置」
【特許文献３】特開２００６−７９９４０号に係る「電子機器における押し釦装置」
【特許文献４】特開２００２−２３１０９３号に係る「押しボタン装置」
【特許文献５】特開２０００−１００２７９号に係る「電子機器の操作ボタン」
【発明の開示】
【発明が解決しようとする課題】
【０００９】
このよに、操作ボタンを押してタクトスイッチをＯＮさせると同時に、発光素子が発光するように構成した操作ボタンの取付け構造に関する技術は数多く知られている。しかし、操作ボタンの中央が発光するように、回路基板に設けた発光素子の光を導く為のグラス発光素子を簡単に取付け出来る構造とは成っていない。本発明が解決しようとする課題はこの問題点であり、グラス発光素子を簡単に取付けできる構造とした操作ボタン及び操作ボタンを備えた電子機器を提供する。
【課題を解決するための手段】
【００１０】
本発明に係る操作ボタンの取付け構造は、ボタンフレームと、ボタンキャップ、及びグラス発光素子から成り、グラス発光素子は回路基板に取付けている発光素子から放射される光をボタンキャップへ導いて、ボタンキャップの中央を発光させる為の導光部材である。そこで、その形状は円柱状で先を細くし、外周には複数の位置決め羽根を外方向へ突出している。
【００１１】
そこで、このグラス発光素子をボタンキャップ内に収容し、この状態のボタンキャップをボタンフレームに取付けている。ボタンフレームには筒部を形成し、この筒部にボタンキャップが嵌り、そして筒部内に設けている受け部に取付けられる。筒部の外周にはツメが撓み変形可能に設けられ、ボタンキャップの底に設けた係止部が係止して取付けられる。
【００１２】
ボタンフレームは取着部を有し、ボタンキャップが嵌って取付けられる筒部内に設けた受け部とは肉厚を薄くして撓み変形できるように継手部を間に形成している。そして、回路基板にはタクトスイッチと発光素子を取付けていて、ボタンキャップを押すならばボタンフレームの受け部が継手部を介して撓み、タクトスイッチをＯＮする。同時に、発光素子から光が放射され、この光はグラス発光素子を通過してボタンキャップの中心部が発光する。
【発明の効果】
【００１３】
本発明の操作ボタンはボタンキャップにグラス発光素子を嵌めると共に、該ボタンキャップはボタンフレームに設けているツメに係止するだけで簡単に取付けられる。上記グラス発光素子は先を細くした円柱状であって、外周には複数枚の羽根が外方向へ突出した形状と成っている為に、ボタンキャップの内部空間に嵌ったグラス発光素子はその先端がボタンキャップの表面に設けた正面穴に嵌り、各羽根はキャップ内周面に当って位置決めされる。
【００１４】
すなわち、グラス発光素子はボタンキャップの内部空間に嵌るだけで、特別な取付け作業は要しない。そして、ボタンフレームに取付けられた状態では、羽根が受け部表面に当って位置決めされる。一方、回路基板に取付けた発光素子から放射される光は受け部に貫通した穴を通してグラス発光素子へ入り、細くしてボタンキャップの正面穴に嵌った先端を光らすことが出来る。
【実施例】
【００１５】
図１はディスク装置の正面図を表している。正面にはトレイが出入りする為の開閉ドア１が取付けられ、両側には操作ボタン２ａ，２ｂを備えている。本発明ではディスク装置の正面外観や操作ボタン２ａ，２ｂの機能を問うものではないが、これら操作ボタン２ａ，２ｂを押すことで所定の動作が行われ、それと同時に操作ボタン２ａ，２ｂの中心は光を発して明るくなる。すなわち、光を発することで動作中である旨を表示することが出来る。
【００１６】
図２は上記操作ボタンの取付け構造を表している実施例であり、同図の３はボタンキャップ、４はボタンフレーム、５はグラス発光素子、６は回路基板、７は発光素子、８はタクトスイッチを夫々示している。ボタンフレーム４はディスク装置のフロントパネル９に取付けられ、そして該ボタンフレーム４にはボタンキャップ３を取付けている。ボタンキャップ３の内部空間１０にはグラス発光素子５を収容している。
【００１７】
又、ディスク装置内に取付けられている回路基板６には発光素子７とタクトスイッチ８が設けられ、その為にボタンキャップ３を押圧するならばボタンフレーム４が撓み変形してタクトスイッチ８をＯＮし、同時に発光素子７を発光させる。発光素子７の光はボタンフレーム４の受け部に貫通した穴からグラス発光素子５へ入り、グラス発光素子５の先端が嵌っているボタンキャップ３の中央部を光らすことが出来る。
【００１８】
図３はボタンフレーム４を表している具体例である。ボタンフレーム４はフロントパネル９に取着されてボタンキャップ３が取付けられる。材質は樹脂製で取着部１１、筒部１２、受け部１３を有している。取着部１１はフロントパネル９の背面側に融着され、筒部１２には上記受け部１３が設けられ、該受け部１３は取着部１１と肉厚を薄くした継手部１４を介して連結している。従って、受け部１３を押圧するならば継手部１４が湾曲して撓み変形することが出来る。ボタンフレーム４の取着部１１には穴２５が貫通して設けられ、この穴２５にフロントパネル９の背面から延びるボスが嵌って融着される。
【００１９】
図４は本発明に係る操作ボタン２の展開図を表している。ボタンキャップ３の内部空間１０にはグラス発光素子５が収容され、この状態でボタンキャップ３はボタンフレーム４の筒部１２に嵌って受け部１３に取付けられる。図５はグラス発光素子５をボタンキャップ３の内部空間１０に収容した場合を示しているが、グラス発光素子５は柱体１５と３枚の羽根１６，１６，１６から成り、柱体１５の外周にこれら羽根１６，１６，１６が外方向へ突出している。
【００２０】
そして、該グラス発光素子５をボタンキャップ３の内部空間１０に嵌めた場合、各羽根１６，１６，１６の先端が内周面１７に接して柱体１５は中心に位置し、細くなった先端１８はボタンキャップ３の正面穴１９に嵌入する。又、ボタンキャップ３の底には係止部２０ａ，２０ｂが対向する位置に設けられ、これら係止部２０ａ，２０ｂはボタンキャップ３をボタンフレーム４に取付けた際に受け部１３の両側に設けているツメ２１ａ，２１ｂに係止して固定される。
【００２１】
図６はボタンキャップ３をボタンフレーム４の受け部１３に取付けた場合を表している。ボタンキャップ３の底部を筒部１２に嵌め、そして受け部１３に押圧するならば、受け部１３の両側に設けているツメ２１ａ，２１ｂに係止部２０ａ，２０ｂが係止することが出来る。ツメ２１ａ，２１ｂは受け部１３の外周に沿って湾曲して延びるアーム２２ａ，２２ｂの先端に形成されている為に、係止部２０ａ，２０ｂの先端がツメ２１ａ，２１ｂに当ることで該アーム２２ａ，２２ｂは外方向へ一旦撓んで該ツメ２１ａ，２１ｂに係止することが出来る。
【００２２】
そして、ボタンキャップ３の底には２本のピン２３ａ，２３ｂが対向した位置に起立し、このピン２３ａ，２３ｂは受け部１３に形成している穴２４ａ，２４ｂに嵌って、ボタンキャップ３は回転しないように拘束される。ここで、ボタンキャップ３の内部空間１０に収容されたグラス発光素子５は受け部１３の上面に載っていて、回路基板６に取付けた発光素子７の光は該受け部１３の中心に設けた穴２５を通過してグラス発光素子５へ入射し、その先端１８が発光する。
【００２３】
このように、本発明の操作ボタン取付け構造は、ボタンキャップ３にグラス発光素子を嵌め、このボタンキャップ３をボタンフレーム４の筒部１２に嵌めると共に、受け部の外周に設けているツメに係止部を係止するだけで取付けることが出来る。
【図面の簡単な説明】
【００２４】
【図１】ディスク装置の正面図。
【図２】操作ボタンの取付け構造。
【図３】ボタンフレームの具体例。
【図４】操作ボタン取付け構造の展開図。
【図５】ボタンキャップの内部空間にグラス発光素子を収容した場合。
【図６】ボタンフレームの受け部にボタンキャップを取付けた構造。
【図７】従来の操作ボタン取付け構造。
【図８】従来の操作ボタンにグラス発光素子を取付けた構造。
【符号の説明】
【００２５】
１  ドア
２  操作ボタン
３  ボタンキャップ
４  ボタンフレーム
５  グラス発光素子
６  回路基板
７  発光素子
８  タクトスイッチ
９  フロントパネル
10  内部空間
11  取着部
12  筒部
13  受け部
14  継手部
15  柱体
16  羽根
17  内周面
18  先端
19  正面穴
20  係止部
21  ツメ
22  アーム
23  ピン
24  穴
25  穴
【図１】
2008084637.tif 000003
【図２】
2008084637.tif 000004
【図３】
2008084637.tif 000005
【図４】
2008084637.tif 000006
【図５】
2008084637.tif 000007
【図６】
2008084637.tif 000008
【図７】
2008084637.tif 000009
【図８】
2008084637.tif 000010